(57)【要約】【課題】特殊な検出手段を必要とせず、またスペース効率のよい姿勢検出を行う。【解決手段】固定筒１６に備えられた検出スイッチ７〜１０はそれぞれマイクロコンピュータ５０に接続されている。検出スイッチ７〜１０はそれぞれ、固定筒１６と移動筒１５との間の距離Ｄ１〜Ｄ４を検出して、測定値に応じた信号電流をマイクロコンピュータ５０に流す。マイクロコンピュータ５０には、予め固定筒１６と移動筒１５の距離の基準値Ｄ０が設定してある。マイクロコンピュータ５０は、各距離Ｄ１〜Ｄ４の値が基準値Ｄ０より小さい場合は検出スイッチがＯＮ、大きい場合は検出スイッチがＯＦＦしていると判断する。マイクロコンピュータ５０は検出スイッチ７〜１０のうちどの検出スイッチがＯＮしているかによってカメラの姿勢を判断する。【選択図】        図４
2004184688.tif 000002
【特許請求の範囲】
【請求項１】
カメラ本体内に収納される沈胴位置と、カメラ本体内から突出する撮影位置との間で光軸方向に進退するレンズ鏡筒を備えた沈胴式カメラにおいて、
前記レンズ鏡筒が撮影位置に移動したときに、重力によるレンズ鏡筒の傾きを検出して信号を発する検出手段と、
前記検出手段からの信号に基づいてカメラの姿勢を判断する判断部とを設けたことを特徴とする沈胴式カメラ。
【請求項２】
前記レンズ鏡筒はカメラ本体に固定された固定筒と固定筒に対して移動する移動筒とからなり、前記検出手段は前記固定筒に設けられたことを特徴とする請求項１記載の沈胴式カメラ。
【発明の詳細な説明】
【０００１】
【発明の属する技術分野】
本発明は、沈胴式カメラに関し、詳しくは、沈胴式カメラに設けられた姿勢検出装置に関するものである。
【０００２】
【従来の技術】
最近のカメラでは、携帯時のコンパクト性を高めるために、不使用時にはレンズ鏡筒をカメラ本体内に沈胴させるようにしたものが多い。また、撮影時にカメラを構えた方向に合わせて、フィルム上の適正位置にデート写し込みを行うために、姿勢検出装置が一般に用いられている。また、例えば、フィルム上の画像をＣＣＤ等で読み込み、ディスプレイに表示するシステムでは、フィルムに写っている画像の上下左右の指示情報を撮影時に記録し、ディスプレイに表示する場合にはその指示情報により画像の上下左右を合わせることが行われており、この目的のためにも姿勢検出装置が必要とされている。
【０００３】
このような目的のため、例えば特許文献１では、水銀スイッチを用いることによりカメラが縦向きであるか横向きであるかを検出する姿勢検出装置が開示されている。また、特許文献２では、流動性の高い導電体を用い、少なくとも２つ以上の導電体検出部を設けることによって多方向の姿勢検出を行う姿勢検出装置が開示されている。
【０００４】
【特許文献１】
特開平５−３１３２４７号公報
【特許文献２】
特開平７−３１９０２５号公報
【０００５】
【発明が解決しようとする課題】
しかしながら、上記のような構成の場合、特殊な検出手段を必要としているため、検出装置の作成に伴うコスト増加の問題がある。また、検出手段を収納する専用のスペースをカメラ本体内に設ける必要があるため、カメラの構造が複雑になり、カメラのコンパクト化を妨げる要因となっていた。沈胴式カメラにおいては特にコンパクト化が求められているため、検出手段の省スペース化の必要が大きい。
【０００６】
本発明は上記問題点を考慮してなされたものであり、特殊な検出手段を必要とせず、またスペース効率のよい姿勢検出装置を設けた沈胴式カメラを提供することを目的とする。
【０００７】
【課題を解決するための手段】
上記目的を達成するために、本発明では、カメラ本体内に収納される沈胴位置と、カメラ本体内から突出する撮影位置との間で光軸方向に進退するレンズ鏡筒を備えた沈胴式カメラにおいて、前記撮影位置で発生する、前記レンズ鏡筒に備えられた移動筒のカメラ本体に対する微小な傾きを検出して信号を発する検出手段と、前記検出手段からの信号にしたがってカメラの姿勢を判断する判断部とを設けたことを特徴とする。また、前記検出手段は前記レンズ鏡筒に備えられた固定筒に設けられていることが好ましい。
【０００８】
【発明の実施の形態】
図１は本発明の姿勢検出装置をデジタルカメラに配置した様子を示す正面図である。カメラ本体２の上面側方部にはレリーズボタン３が設けられており、その横には撮影モード選択ダイヤル４が設けられている。前面側方部にはレンズバリアを兼ねたグリップ５が設けられており、上部にはファインダ６が設けられている。検出スイッチ７〜１０が、断面が示されている固定筒１６に設けられており、断面が示されている移動筒１５の傾きを検出する。前レンズ支持筒１１に前レンズ１８が支持されている。
【０００９】
図２は沈胴位置におけるズームレンズ装置を示す断面図である。ズームレンズ装置は、前レンズ支持筒１１、第１の筒に相当する直進ガイド筒１２、レンズ案内筒に相当する後用カム筒１３、後支持筒１４、回転筒１５、及び固定筒１６等で構成されており、単一のモータ１７の回転を利用して回転筒１５を回転させることで、前レンズ１８と後レンズ１９とを互いのレンズ間の距離を変化させながら光軸２０の方向に移動させて変倍を行い、その後にその変倍状態で前レンズ１８と後レンズ１９とを前記変倍時の変化とは異なるレンズ間となるように光軸２０の方向に移動して合焦を行うものである。
【００１０】
回転筒１５には、外周に雄ヘリコイドネジ２１とその雄ヘリコイドネジ２１のネジ山間に突出して形成されたギヤ部２２とが設けられている。ギヤ部２２には、モータ１７の駆動が円筒ギヤ２３を介して伝達される。雄ヘリコイドネジ２１には、固定筒１６の内周に設けた雌ヘリコイドネジ２５が螺合する。回転筒１５は、雄ヘリコイドネジ２１と雌ヘリコイドネジ２５とのリードに従って固定筒１６に対して回転しながら光軸２０の方向に移動する。回転筒１５の内面には、雌ヘリコイドネジ２６が形成されている。雌ヘリコイドネジ２６には、前支持筒１１の外周に設けた雄ヘリコイドネジ２７が螺合する。
【００１１】
前レンズ支持筒１１には、前レンズ１８とシャッタ機構２８とが物体側から順に固定されている。前レンズ支持筒１１の内周には、光軸２０と平行な直進ガイド溝２９が形成されている。直進ガイド溝２９には、直進ガイド筒１２の外周前端側に設けた第１ガイド突起部３０が係合する。前レンズ支持筒１１は、回転筒１５の回転により直進ガイド筒１２の回転止めの作用によりヘリコイドネジ２６，２７のリードに従って回転筒１５に対して光軸２０の方向に直進移動する。
【００１２】
直進ガイド筒１２には、外周後端側に第２ガイド突起３２が設けられている。第２ガイド突起３２は、回転筒１５の内周に、光軸２０を中心とする回転方向に沿って設けられた環状溝３３に回転自在に係合する。直進ガイド筒１２は、回転筒１５の内部で回転止めされた状態で回転筒１５と一緒に光軸２０の方向に移動する。
【００１３】
後レンズ用カム筒１３には、外周後端にフランジ部３５が設けられている。フランジ部３５は、直進ガイド筒１２の内周に光軸２０を中心とする回転方向に沿って環状に設けた溝３６に回転自在に係合する。後レンズ用カム筒１３は、直進ガイド筒１２に回転自在に支持される。後レンズ用カム筒１３には、カム面を持ったカム開口３８が形成されている。カム開口３８には、後支持筒１４に設けたカムフォロワー３９が係合する。これらカムフォロワー３９は、カム開口３８を通って直進ガイド筒１２に光軸２０と平行に設けた直進ガイド開口４０に係合する。これらカム開口３８、カムフォロアー３９、及び直進ガイド開口４０は、光軸２０を中心とする回転方向の３分割位置にそれぞれ設けられている。なお、符号４１は結像面、符号４２は前カバーである。
【００１４】
回転筒１５の後側端面４３には、光軸２０を中心とする回転方向の一部に切り欠き部４４が形成されている。切り欠き部４４には後レンズ用カム筒１３の後端面４５に設けたＬ字状のアーム４６の折り曲げ先端が係合している。アーム４６は、切り欠き部４４の内部で光軸２０を中心とする周方向に遊びを持って係合している。切り欠き部４４とアーム４６との遊びが後用カム筒１３の空転域であり、また、切り欠き部４４とアーム４６とが空転域をもった連係部を構成している。変倍時には、モータ１７が回転筒１５を回転させ、さらに空転域を超えて後用カム筒１３を回転させる。合焦時には、モータ１７が回転筒１５を空転域内で回転させる。
【００１５】
後レンズ用カム筒１３は、切り欠き部４４のうち光軸２０を中心とする回転方向に沿った２つの壁のうち何れか一方でアーム４６が押されることで、回転筒１５の回転力が伝達されて直進ガイド筒１２に対して回転される。後レンズ支持筒１４には、後レンズ１９が支持されている。
【００１６】
変倍時には、回転筒１５とともに後レンズ用カム筒１３が回転筒１５と同じ方向に回転するため、前レンズ１８が回転筒１５の変位と前支持筒１１の変位との合成により光軸２０の方向に移動し、且つ、後レンズ１９は回転筒１５の変位とカム開口３８のカムの変位との合成により光軸２０の方向に移動する。合焦時には、後レンズ用カム筒１３が回転しないため、前レンズ１８が回転筒１５の変位と前支持筒１１の変位との合成により光軸２０の方向に移動し、且つ後レンズ１９は回転筒１５の変位により光軸２０の方向に移動する。
【００１７】
図３は撮影位置におけるズームレンズ装置を示す断面図である。図２で説明したように、ズームレンズ装置のうちカメラ本体に固定されているのは固定筒１６のみであるため、移動筒１５にはレンズなど、内部に配置された構成部材の重みによって図中矢印方向に回転しようという力が掛かる。ここで、移動筒１５は固定筒１６にネジによって螺合しているだけであるため、螺合のあそびによってわずかながら固定筒１６に対して重力方向に傾きをもつ。撮影時には、カメラ本体の姿勢を検出するため、固定筒１６に設けられた検出スイッチ７〜１０によって移動筒１５の傾きを検出する。この検出スイッチに非接触静電容量センサを用い、固定筒１６と移動筒１５との間の距離を静電容量の変化によって測定することによって、移動筒１５の傾きを検出することが可能になる。
【００１８】
図４は、姿勢検出装置の構成を示す概略図である。検出スイッチ７〜１０はそれぞれマイクロコンピュータ５０に接続されている。検出スイッチ７〜１０はそれぞれ、固定筒１６と移動筒１５との間の距離Ｄ１〜Ｄ４を検出して、測定値に応じた信号電流をマイクロコンピュータ５０に流す。マイクロコンピュータ５０には、予め固定筒１６と移動筒１５の距離の基準値Ｄ０が設定してある。マイクロコンピュータ５０は各検出スイッチ７〜１０からの信号電流を受信し、各距離Ｄ１〜Ｄ４の値が基準値Ｄ０より小さい場合は検出スイッチがＯＮ、大きい場合は検出スイッチがＯＦＦしていると判断する。なお、移動筒１５の傾きがない状態では基準値Ｄ０が各距離Ｄ１〜Ｄ４より大きくなるように設定されている。マイクロコンピュータ５０は検出スイッチ７〜１０のうちどの検出スイッチがＯＮしているかによってカメラの姿勢を判断する。
【００１９】
撮影モード選択ダイヤル４によって撮影者が画像変換モードを設定している場合、マイクロコンピュータ５０は、カメラの姿勢に合わせて画像の向きを変換する。また、画像変換モードを設定していない場合には、カメラの姿勢データを画像ファイルのヘッダ部分に記録しておく。このようにすることによって、例えばパソコン上などに用意されたビューワにて記録画像を読み込む際に画像の向きを変換することが可能になる。また、いずれの場合でも、画像の適正位置にデート写し込みを行うことができる。
【００２０】
図５は、検出スイッチ７〜１０の出力とカメラの姿勢との関係を示す図表である。一般的なカメラの姿勢として、横位置（ファインダ上側）、横位置（ファインダ下側）、縦位置（グリップ上側）、縦位置（グリップ下側）が考えられる。
【００２１】
まず、横位置（ファインダ上側）の場合、移動筒１５は重力によって検出スイッチ８側に傾き、距離Ｄ２が基準値Ｄ０より小さくなる。このとき他の距離Ｄ１，Ｄ３，Ｄ４は基準値Ｄ０より大きい。このためマイクロコンピュータ５０は検出スイッチ８がＯＮしており、他の検出スイッチ７、９、１０はＯＦＦしていると判断する。同様にして、横位置（ファインダ下側）のときは検出スイッチ７が、縦位置（グリップ上側）のときは検出スイッチ９が、縦位置（グリップ下側）のときは検出スイッチ１０がそれぞれＯＮしていると判断される。
【００２２】
次に、本実施形態の作用について図６に示すフローチャートに基づいて説明する。撮影者はまず、撮影モード選択ダイヤル４によって撮影モードを選択する。次に、撮影者がレリーズボタンを操作すると、マイクロコンピュータ５０は検出スイッチ７〜１０からの信号電流の受信を開始し、どの検出スイッチがＯＮしているかにより、図５に基づいてカメラの姿勢検出を行う。
【００２３】
操作者が画像変換モードを選択している場合、コントローラ５０は検出されたカメラの姿勢にしたがって画像の向きを変換し、画像ファイルを図示していないメモリに記録する。操作者が画像変換モードを選択していない場合、マイクロコンピュータ５０は姿勢検出の結果にしたがってカメラの姿勢データを作成し、作成したデータを画像ファイルのヘッダ部分に記録し、画像の向きは変換せずに画像ファイルをメモリに記録する。撮影を続行する場合、レリーズボタンを操作すれば上記の動作が繰り返される。
【００２４】
上記実施形態ではカメラの４つの姿勢を検出しているが、検出スイッチの数やマイクロコンピュータの設定などを変えることによって、さらに細かく姿勢を検出することも可能である。また、上記実施形態では検出スイッチとして静電容量センサを用いたが、本発明はこれに限定されず、光学式スイッチなど一般に用いられる種々のセンサの使用が可能である。また検出スイッチの設置場所も固定筒に限定されない。
【００２５】
また、本発明はデジタルカメラに限定されず、沈胴式の銀塩カメラに適用してもよい。なお、本発明は一般に用いられている移動筒の傾きを検出するものであり、その傾き量は微小なものであるため撮影画角が大きく変化するようなことはない。特にデジタルカメラの場合には、撮像素子がレンズと同時に傾斜するため、移動筒の傾きが撮影画像に影響することは全くない。
【００２６】
【発明の効果】
以上説明したように、本発明の沈胴式カメラによれば、前記撮影位置で発生する、前記レンズ鏡筒に備えられた移動筒のカメラ本体に対する微小な傾きを検出して信号を発する検出手段と、前記検出手段からの信号にしたがってカメラの姿勢を判断する判断部とを設けたことにより、特殊な検出手段を必要とせず、またスペース効率を損なうことなく姿勢検出を行うことができる。
【図面の簡単な説明】
【図１】本発明を実施したデジタルカメラを示す正面図である。
【図２】沈胴位置におけるズームレンズ装置を示す断面図である。
【図３】撮影位置におけるズームレンズ装置を示す断面図である。
【図４】姿勢検出装置の構成を示す概略図である。
【図５】検出スイッチの出力とカメラの姿勢との関係を示す図表である。
【図６】デジタルカメラの処理手順を示すフローチャートである。
【符号の説明】
７，８，９，１０  検出スイッチ
１５  移動筒
１６  固定筒
５０  マイクロコンピュータ
【図１】
2004184688.tif 000003
【図２】
2004184688.tif 000004
【図３】
2004184688.tif 000005
【図４】
2004184688.tif 000006
【図５】
2004184688.tif 000007
【図６】
2004184688.tif 000008